(57)【要約】【課題】    不動産業者その他路上売り出し広告の電柱への取り付けが規則で禁止されている。その他工事現場、商店街、団地、マンション、などの進入禁止、等に使用できる効果のある路上表示具が求められている。そこで目線の高い位置で表示可能でありカラーコーン上に簡単に取り付け、取り外しのできる折りたたみ式の表示具を提供する。【解決手段】    向かい合う２枚の表示板１、２をカラーコーン１０、へ取り付けるための支持板３，４からなる表示具である。向かい合う２枚の表示板１，２は頭頂部で回動自在に連結されている。支持板３，４は中央部にカラーコーン１０へ取り付けるための丸穴１１，１２と折り曲げ可能とするＶミゾ５，６があり、支持板３，４は向かい合う２枚の表示板の内側に回動自在に装着されていることを特徴とする表示具。【選択図】図１
2011237745.tif 000002
【特許請求の範囲】
【請求項１】
向かい合う２枚の表示板１、２をカラーコーン１０へ取り付けるための支持板３，４からなる表示具である。
【請求項２】
向かい合う２枚の表示板１、２は頭頂部で回動自在に結合されていて支持板３，４は中央部にカラーコーン１０へ取り付けるための丸穴１１，１２と折り曲げ可能とするＶミゾ５，６がある。
【請求項３】
支持板３、４は向かい合う２枚の表示板１、２の内側から巻き込み回動自在に装着されていることを特徴とする表示具。
【請求項４】
表示板がネットである請求項１、請求項２、請求項３に記載の表示具。
【請求項５】
上記支持板３、４の四隅を上記表示板１，２の水平棹部に巻き込みリベット又はネジ８を介して回動自在に装着したものである。
【請求項６】
上記Ｖミゾ５，６により折りたたみが可能である請求項１、請求項２、請求項３に記載の表示具。
【請求項７】
表示板１，２の上部がカラーコーン１０頭頂部よりも高い位置とすることが出来る請求項１、請求項２、請求項３、請求項４、請求項５に記載の表示具。
【発明の詳細な説明】
【技術分野】
【０００１】本発明はカラーコーンを使用する表示具に関する物である。
【背景技術】
【０００２】従来駐車禁止、進入禁止などの路上表示に用いる表示具はカラーコーンを使用するものが多い、しかし諸事情によりあまり普及していない。
【先行技術文献】
【０００３】
【特許文献１】特開２００９−４２７０９号公開特許広報
【特許文献２】特開２００３−５５９２１号公開特許広報
【実用新案文献１】
第３１４５１４３号登録実用新案広報
【発明の概要】
【発明が解決しようとする課題】
【０００４】特開文献１，２，実用新案文献１はカラーコーンを使用するがカラーコーンと同程度の高さか低い位置での使用でありもっと目線の高い位置での使用が可能な表示具が求められている。【０００５】不動産業者その他路上売り出し広告の電柱への取り付けが規則で禁止されているためより効果のある路上表示具が求められている、そこで目線の高い位置で表示が可能でありカラーコーンに簡単に取り付け取り外しのできる折りたたみ式の表示具を提供する。
【課題を解決するための手段】
【０００６】第一の発明は上記課題を解決する表示具でありネットは表示板１、２を折り曲げ可能で中央部にカラーコーンへ支持するための丸穴１１、１２を有する支持板３、４でカラーコーンに取り付ける。
【発明の効果】
【０００７】第二の発明は表示板がネットである為チラシ、紙看板等の広告物の取り付け取り外しが容易であり店舗などでの商品の展示用としても使用することができる、この場合フック、クリップなどを使用できる表示具である。【０００８】第３の発明はカラーコーン頭頂部より高い位置に設置できる事により路上看板としての価値を高める表示具である。
【図面の簡単な説明】
【０００９】
【図１】本発明の外観図
【図２】支持板上部
【図３】支持板下部
【発明を実施するための形態】
【００１０】以下、本発明の形態を図１，２，３に基づいて説明する。
【００１１】ネット又は板状の表示板１、２は頭頂部で回動自在な状態で結合され開閉できる。
【００１２】支持板３、４は中央部に折り曲げ可能とするＶミゾ５、６とカラーコーン１０に支持するための丸穴１１、１２がある。
【００１３】支持板３、４の四隅には表示板１、２の水平棹部に巻き込むための加工部７を有し、これを巻き込みリベット又はネジ８で回動自在な状態で結合する。
【００１４】これにより表示板１、２と支持板３、４が回動自在な状態で結合されＶミゾ５，６を支点として折りたたみが可能となり簡単にカラーコーンに取り付け取り外しのできる表示具である。
【００１５】尚、実施例では表示板１，２はネットを使用するが他実施例として平板を使用することも可能とする、この場合には次の点に改良を加える。
【００１６】表示板１，２の頭頂開閉部および支持板３，４の回動自在部には兆番を使用する。
【図１】
2011237745.tif 000003
【図２】
2011237745.tif 000004
【図３】
2011237745.tif 000005
【手続補正書】
【提出日】平成22年6月29日(2010.6.29)
【手続補正１】
【補正対象書類名】明細書
【補正対象項目名】全文
【補正方法】変更
【補正の内容】
【発明の詳細な説明】
【技術分野】
【０００１】本発明はカラーコーンを使用する表示具に関する物である。
【背景技術】
【０００２】従来駐車禁止、進入禁止などの路上表示に用いる表示具はカラーコーンを使用するものが多い、しかし諸事情によりあまり普及していない。
【先行技術文献】
【０００３】
【特許文献１】特開２００９−４２７０９号公開特許広報
【特許文献２】特開２００３−５５９２１号公開特許広報
【実用新案文献１】
第３１４５１４３号登録実用新案広報
【発明の概要】
【発明が解決しようとする課題】
【０００４】特開文献１，２，実用新案文献１はカラーコーンを使用するがカラーコーンと同程度の高さか低い位置での使用でありもっと目線の高い位置での使用が可能な表示具が求められている。【０００５】不動産業者その他路上売り出し広告の電柱への取り付けが規則で禁止されているためより効果のある路上表示具が求められている、そこで目線の高い位置で表示が可能でありカラーコーンに簡単に取り付け取り外しのできる折りたたみ式の表示具を提供する。
【課題を解決するための手段】
【０００６】第一の発明は上記課題を解決する表示具でありネットは表示板１、２を折り曲げ可能で中央部にカラーコーンへ支持するための丸穴１１、１２を有する支持板３、４でカラーコーンに取り付ける。
【発明の効果】
【０００７】第二の発明は表示板がネットである為チラシ、紙看板等の広告物の取り付け取り外しが容易であり店舗などでの商品の展示用としても使用することができる、この場合フック、クリップなどを使用できる表示具である。【０００８】第３の発明はカラーコーン頭頂部より高い位置に設置できる事により路上看板としての価値を高める表示具である。
【図面の簡単な説明】
【０００９】
【図１】本発明の外観図
【図２】支持板上部
【図３】支持板下部
【発明を実施するための形態】
【００１０】以下、本発明の形態を図１，２，３に基づいて説明する。
【００１１】ネット又は板状の表示板１、２は頭頂部で回動自在な状態で結合され開閉できる。
【００１２】支持板３、４は中央部に折り曲げ可能とするＶミゾ５、６とカラーコーン１０に支持するための丸穴１１、１２がある。
【００１３】支持板３、４の四隅には表示板１、２の水平棹部に巻き込むための加工部７を有し、これを巻き込みリベット又はネジ８で回動自在な状態で結合する。
【００１４】これにより表示板１、２と支持板３、４が回動自在な状態で結合されＶミゾ５，６を支点として折りたたみが可能となり簡単にカラーコーンに取り付け取り外しのできる表示具である。
【００１５】尚、実施例では表示板（１）の片側のみの使用も可能とする、その場合は支持板（３）（４）のＶミゾは不要となる。
【００１６】表示板１，２はネットを使用するが他実施例として平板を使用することも可能とする、この場合には次の点に改良を加える。
【００１７】表示板１，２の頭頂開閉部および支持板３，４の回動自在部には兆番を使用する。